【手続補正書】
【提出日】平成27年12月10日(2015.12.10)
【手続補正１】
【補正対象書類名】明細書
【補正対象項目名】発明の名称
【補正方法】変更
【補正の内容】
【発明の名称】医学手術中に流体流れから組織サンプルを回収するための取外し可能なスクリーンを備えた試料捕捉システム
【手続補正２】
【補正対象書類名】特許請求の範囲
【補正対象項目名】全文
【補正方法】変更
【補正の内容】
【特許請求の範囲】
【請求項１】
医学流体収集システムと共に用いられる試料収集カセットであって、
前記流体収集システムに取外し可能に取り付けられるように構成され、第１の空所を画定するハウジングと、
前記ハウジングに取り付けられた第１の取付具であって、医学／外科部位から延在する吸引ラインが取付け可能になっており、前記第１の空所内に開いている、第１の取付具と、
前記ハウジング内に形成された出口開口であって、前記出口開口を通って、前記取付具内に引き込まれた流体が前記第１の空所から流体収集システム内に流れることができるようになっている、出口開口と、
前記ハウジング内に形成され、前記出口開口から離れている補助開口部であって、前記第１の空所内に開いている、補助開口部と、
前記補助開口を覆って着座するように、前記ハウジングに取外し可能に取り付けられるようになっているキャップであって、前記ハウジングの前記第１の空所に向けられた内面を有している、キャップと、
前記キャップの前記内面に取外し可能に取り付けられるようになっているキャッチトレイであって、前記キャッチトレイは、前記ハウジングの前記第１の空所を占有するように形作られており、かつ前記キャッチトレイが前記キャップに取り付けられ、前記キャップが前記補助開口を覆って配置されたとき、前記第１の取付具から前記ハウジングの前記第１の空所内へと流れる流体は、スクリーンを通って流れ前記出口開口を通ってそこから出るように位置決めされているスクリーンを備えている、キャッチトレイと、
を備えていることを特徴とする、試料収集カセット。
【請求項２】
前記ハウジングは、前記第１の空所を画定する内面を備えるスリーブを有しており、前記第１の取付具は、前記スリーブの第１の内面内に開いた孔を有しており、前記スリーブの前記第１の内面の反対側の第２の内面には、前記補助開口部が形成されており、
前記キャッチトレイは、少なくとも１つの壁を備えるようにさらに形成されており、前記少なくとも１つの壁は、前記スクリーンの外周から上方に延在しており、これによって、前記スクリーンおよび前記少なくとも１つの壁は、一緒になって、前記キャッチトレイに一端が開いた空洞を画定しており、
前記キャッチトレイは、前記キャップに離脱可能に取り付けられており、これによって、前記スクリーンおよびフレームが取り付けられた前記キャップが前記ハウジングに装着されると、前記空洞は、前記第１の取付孔に開き、前記スクリーンは、前記ハウジングスリーブの前記第２の内面に配置されることになる、請求項１に記載の試料収集カセット。
【請求項３】
前記ハウジングには、前記ハウジングの前記第１の空所を第２の空所から分離する壁が形成されており、前記ハウジング出口開口は、前記第２の空所に開いており、前記壁には、孔が形成されており、前記孔を通って、流体が前記第１の空所から前記第２の空所内に流れることが可能になっており、
吸引ラインを受け入れる第２の取付具が、前記ハウジングから延在しており、前記第２の取付具は、前記ハウジングの前記第２の空所内に直接開いている、請求項１または２に記載の試料収集カセット。
【請求項４】
前記ハウジングの前記第２の空所から前記ハウジングの前記第１の空所への逆流を防止するために、第１の逆流防止弁が前記ハウジングに取り付けられており、
前記ハウジングの前記第２の空所から前記ハウジングの前記第２の取付具への逆流を防ぐために、第２の逆流防止弁が前記ハウジングに取り付けられている、請求項３に記載の試料収集カセット。
【請求項５】
前記第１および第２の逆流防止弁は、単一ユニットとして形成されている、請求項４に記載の試料収集カセット。
【請求項６】
少なくとも１つのビームが、前記ハウジングの前記第１の空所内に延在するように、前記キャップから延在しており、
前記キャッチトレイは、リップを備え、前記リップが、前記スクリーンから外方に延在し、前記スクリーンを前記ビームに離脱可能に懸垂させるように前記少なくとも１つのビームにわたって延在するように位置決めされている、請求項１〜５のいずれか１つに記載の試料収集カセット。
【請求項７】
前記少なくとも１つのビームは、長孔を形成するように配置されており、
前記キャッチトレイは、前記スクリーンが前記長孔に着座し、前記リップが前記少なくとも１つの長孔形成ビームにわたって延在するように、形作られている、請求項６に記載の試料収集カセット。
【請求項８】
前記少なくとも１つのビームは、前記長孔が前記ビームによって完全に取り囲まれるように、形作られている、請求項７に記載の試料収集カセット。
【請求項９】
前記ハウジングは、前記ハウジングの近位端を形成する基部を有しており、前記基部は、中心を有しており、前記出口開口は、前記ハウジング基部の中心から離間した中心を有するように、前記ハウジング開口に形成されている、請求項１〜８のいずれか１つに記載の試料収集カセット。
【請求項１０】
前記ハウジングは、前記ハウジングの近位部分を形成するシェルを有しており、前記シェルは、円筒状外壁を有しており、前記出口開口は、前記シェルに形成されている、請求項１〜９のいずれか１つに記載の試料収集カセット。
【請求項１１】
前記ハウジングは、前記第１の空所が一端が閉じた孔であるように形成されている、請求項１〜１０のいずれか１つに記載の試料収集カセット。
【請求項１２】
前記ハウジングと前記キャップとの間の吸引の損失を防ぐために、シールが前記ハウジングと前記キャップとの間に配置されている、請求項１〜１１のいずれか１つに記載の試料収集カセット。
【請求項１３】
前記シールは、前記キャップに取り付けられている、請求項１２に記載の試料収集カセット。
【請求項１４】
前記ハウジングは、
前記出口開口が形成されている本体であって、前記出口開口から離れた孔を備える表面を有している、本体と、
前記孔が形成されている前記表面上に着座するように前記本体に取外し可能に取り付けられるボックスであって、前記ボックスは、第１の空所および前記補助開口を画定しており、前記ボックスは、ポートも有しており、前記ポートは、前記第１の空所から延在しており、前記ボックスが前記本体に取り付けられたとき、前記第１の空所から前記ポートおよび前記本体孔を通って前記ハウジングの前記本体内に流体連通が生じるように、配置されている、ボックスと、
を備えており、
前記取付具は、前記第１の空所内に開くように、前記ボックスから延在している、請求項１〜１３のいずれか１つに記載の試料収集カセット。
【請求項１５】
請求項１〜１４のいずれか１つに記載の試料収集カセットと共に用いられるキャッチトレイであって、前記キャッチトレイは、前記ハウジングの前記第１の空所に着座し、前記キャッチトレイは、前記ハウジングの前記補助開口部を覆って延在するように位置決めされたスクリーンと、前記キャッチトレイを前記キャップに取外し可能に保持するように前記キャップに係合可能な特徴部とを備えている、キャッチトレイ。
【請求項１６】
少なくとも１つの壁をさらに備えており、前記少なくとも１つの壁は、前記スクリーンの外周から上方に延在しており、これによって、前記スクリーンおよび前記少なくとも１つの壁は、前記スクリーンの上方において一端が開いた空洞を画定している、請求項１５に記載のキャッチトレイ。
【請求項１７】
リップをさらに備えており、前記リップは、前記少なくとも１つの壁の上端にから外方に延在しており、これによって、前記リップは前記スクリーンから外方に延在している、請求項１６に記載のキャッチトレイ。